(57)【要約】【課題】  既存の施解錠装置に、容易に取り付けができ、かつ生産コストのかからない戸締り確認システム用後付けキットを提供する。【解決手段】  施解錠装置の可動部１０３、５０１に取り付けられ、永久磁石１２０、５０２を備える被感知部１６０と、磁石の近傍に配置されて施解錠装置の施解錠動作による磁石の近接を感知するセンサー１２５と、該センサーを内蔵するとともにセンサーの磁石への近接感知をきっかけとして発せられる施解錠信号を発信する発信機１５０、５０３とを備え、さらに、発信機から離隔された位置に配置されるべき施解錠信号を受信する防犯コントローラ１８０とを具備する戸締り確認システム用後付けキットにおいて、被感知部は施解錠装置の可動部に取り付け可能に構成する。【選択図】      図３
2005083024.tif 000002
【特許請求の範囲】
【請求項１】
施解錠装置の可動部に取り付けられ、永久磁石を備える被感知部と、前記磁石の近傍に配置されて前記施解錠装置の施解錠動作による前記磁石の近接を感知するセンサーと、該センサーを内蔵するとともに前記センサーの前記磁石への近接感知をきっかけとして発せられる施解錠信号を発信する発信機とを備え、さらに、前記発信機から離隔された位置に配置されるべき前記施解錠信号を受信する防犯コントローラとを具備する戸締り確認システム用後付けキットであって、
前記被感知部は、前記施解錠装置の可動部に取り付け可能に構成されている、
ことを特徴とした戸締り確認システム用後付けキット。
【請求項２】
前記施解錠装置の可動部に、熱収縮材からなる装着部材を介して前記被感知部が取り付け可能とされた、請求項１に記載の戸締り確認システム用後付けキット。
【請求項３】
前記施解錠装置の可動部に、装着部材を介して前記被感知部が取り付け可能とされており、前記装着部材は容器と充填材とを備え、前記容器に前記充填材が充填されることにより前記被感知部が前記可動部に固定される請求項１に記載の戸締り確認システム用後付けキット。
【請求項４】
躯体に設けられた枠体と、前記枠体に取り付けられた障子と、前記障子に取り付けられている施解錠装置とを備えた開口部装置であって、
前記施解錠装置の可動部には、請求項１〜３のいずれかに記載の戸締り確認システム用後付けキットの被感知部が取り付けられ、
前記障子の框には前記キットの発信機が、前記センサーと前記被感知部に備えられた磁石とが近接するようにして取り付けられ、
前記キットの防犯コントローラは、前記発信機とは離隔して配置されている、開口部装置。
【発明の詳細な説明】
【技術分野】
【０００１】
本発明は、後付け可能に構成された戸締り確認システムに関する。
【背景技術】
【０００２】
近年、空き巣等の犯罪件数の増大に伴い、建物のドア、窓等の施解錠装置に防犯システムを取り付ける場合が多い。防犯システムには、サッシのクレセント等の施解錠装置の近傍に設置され、このクレセントの施錠解錠信号を送信する複数の子機と、複数の子機からの施解錠信号を受信して各子機の施解錠状態を表示する親機とを備え、この親機を玄関等に設置し、外出時、または就寝時に、この親機で各サッシの戸締り状態を確認する戸締り確認システムが使用されている。
【０００３】
実際に外部からサッシのガラスパネル等が破壊され、クレセントが施解錠された場合にはクレセントの近傍に設置された子機が察知して親機に信号を送信し、信号を受信した親機は、家主の携帯電話等に信号を送信して不法侵入を伝えるシステムとなっている。さらに、セキュリティーシステム等に加入している場合には、管理室に非常信号が送信されるようシステム化することも可能である。
【０００４】
特許文献１には、開口部装置に取り付けられた戸締り確認システムが開示されており、図９にはその子機３００、およびクレセント４００が示されている。サッシは、内障子と外障子とを備える引き違いサッシであり、子機３００はクレセント４００に隣接して設けられている。レバー部４１０には磁石が埋設されており、子機３００には磁石に対向するセンサー４１０ａ、および４１０ｂが配備されている。なお、センサー４１０ａ、および４１０ｂは、子機３００の下端部４２０に内蔵されているため破線で示す。戸締り確認システムが作動中の状態では、センサー４１０ａ、および４１０ｂが、センサー４１０ａ、および４１０ｂに磁石が近接した施錠状態、および磁石が離れた解錠状態を感知し、子機３００から親機に信号が発信されている。
【０００５】
また、このような戸締り確認システムを取り付けるには、既存のクレセントがある場合、一般的にはクレセント全体をハンドル部に磁石の取り付けられたものと新たに交換し、さらに子機３００も同時に取り付けることにより対応している。
【特許文献１】特開２００２−２１３１２２号公報
【発明の開示】
【発明が解決しようとする課題】
【０００６】
しかし、既存のクレセントの中には交換ができないものもあり、また、交換できたとしても費用が高くつくという問題があった。そのため、戸締り確認システムを後付けの加工で付与する方法が望まれていたが、クレセント等の既存の施解錠装置は、デザインが多様であるため、これらの施解錠装置に共通して容易に取り付けられ、かつ生産コストのかからない戸締り確認システムの開発はなされていなかった。
【０００７】
そこで本発明は、既存の施解錠装置に、容易に取り付けができ、かつ生産コストのかからない戸締り確認システム用後付けキットを提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１の発明は、施解錠装置の可動部（１０３、５０１）に取り付けられ、永久磁石（１２０、５０２）を備える被感知部（１６０）と、磁石の近傍に配置されて施解錠装置の施解錠動作による磁石の近接を感知するセンサー（１２５）と、該センサーを内蔵するとともにセンサーの磁石への近接感知をきっかけとして発せられる施解錠信号を発信する発信機（１５０、５０３）とを備え、さらに、発信機から離隔された位置に配置されるべき施解錠信号を受信する防犯コントローラ（１８０）とを具備する戸締り確認システム用後付けキットであって、被感知部は施解錠装置の可動部に取り付け可能に構成されている、ことを特徴とした戸締り確認システム用後付けキットを提供して前記課題を解決する。
【００１０】
請求項１の発明によれば、予め取り付けられている施解錠装置に、磁石、磁石を感知する発信機、および防犯コントローラを後付けでき、施解錠装置全体を交換することなく戸締り確認システムが取り付けられるため、手間、およびコストを省くことができる。
【００１１】
請求項２の発明は、請求項１に記載の戸締り確認システム用後付けキットにおいて、施解錠装置の可動部（１０３、５０１）に、熱収縮材からなる装着部材（１６０）を介して前記被感知部（１６０）が取り付け可能とされたことを特徴とする。
【００１２】
請求項２の発明によれば、予め取り付けられている様々な形状の可動部に、熱収縮材の装着部材によって簡便に磁石を後付けすることができるため、施解錠装置全体を交換することなく戸締り確認システムが取り付けられ、手間、およびコストを省くことができる。
【００１３】
請求項３の発明は、請求項１に記載の戸締り確認システム用後付けキットにおいて、施解錠装置の可動部（１０３、５０１）に、装着部材（１６０）を介して前記被感知部（１６０）が取り付け可能とされており、前記装着部材は容器（１６３）と充填材（１６４）とを備え、前記容器に前記充填材が充填されることにより前記被感知部が前記可動部に固定されることを特徴とする。
【００１４】
請求項３の発明によれば、予め取り付けられている様々な形状の可動部に、磁石を備えた容器を、樹脂材を充填することによって簡便に後付けすることができるため、施解錠装置全体を交換することなく戸締り確認システムが取り付けられ、手間、およびコストを省くことができる。
【００１５】
請求項４の発明は、躯体に設けられた枠体（５０）と、枠体に取り付けられた障子（６０、７０）と、障子に取り付けられている施解錠装置とを備えた開口部装置であって、施解錠装置の可動部（１０３、５０１）には、請求項１〜３のいずれかに記載の戸締り確認システム用後付けキットの被感知部（１６０）が取り付けられ、障子の框にはキットの発信機（１５０、５０３）が、センサー（１２５）と被感知部に備えられた磁石とが近接するようにして取り付けられ、キットの防犯コントローラ（１８０）は、発信機とは離隔して配置されている開口部装置（２００）を提供して前記課題を解決する。
【００１６】
請求項４の発明によれば、開口部装置に予め取り付けられている施解錠装置に、磁石、磁石を感知する発信機、および防犯コントローラを後付けでき、施解錠装置全体を交換することなく戸締り確認システムが取り付けられるため、手間、およびコストを省くことができる。
【発明の効果】
【００１７】
請求項１の発明によれば、予め取り付けられている施解錠装置に、磁石、磁石を感知する発信機、および防犯コントローラを後付けでき、施解錠装置全体を交換することなく戸締り確認システムが取り付けられるため、手間、およびコストを省くことができる。
【００１８】
また、請求項２の発明によれば、予め取り付けられている様々な形状の可動部に、熱収縮材の装着部材によって簡便に磁石を後付けすることができるため、施解錠装置全体を交換することなく戸締り確認システムが取り付けられ、手間、およびコストを省くことができる。
【００１９】
また、請求項３の発明によれば、予め取り付けられている様々な形状の可動部に、磁石を備えた容器を樹脂材を充填することによって簡便に後付けすることができるため、施解錠装置全体を交換することなく戸締り確認システムが取り付けられ、手間、およびコストを省くことができる。
【００２０】
さらに、請求項４の発明によれば、開口部装置に予め取り付けられている施解錠装置に、磁石、磁石を感知する発信機、および防犯コントローラを後付けでき、施解錠装置全体を交換することなく戸締り確認システムが取り付けられるため、手間、およびコストを省くことができる。
【００２１】
本発明のこのような作用及び利得は、次に説明する発明を実施するための最良の形態から明らかにされる。
【発明を実施するための最良の形態】
【００２２】
以下本発明を図面に示す実施形態に基づき説明する。
【００２３】
図１は、本発明に係る戸締り確認システム用後付けキットが取り付けられた引き違い窓２００が閉じられた状態を室外側から概略的に示した正面図である。なお、本実施例では引き違い窓、およびクレセントを例として説明する。
【００２４】
図示の引き違い窓２００は、建物（図示せず）の所定箇所に取り付けられる枠体５０と、枠体５０に取り付けられた２枚の可動障子である内障子６０、および外障子７０とを備えている。枠体５０は、上枠５１、下枠５２、右縦枠５３、および左縦枠５４によって構成されている。また、内障子６０は、上框６１と、下框６２と、右縦框６３と、左縦框６４と、これらの框に固定されたガラスパネル６５とを備えており、左縦框６４の室内側には引き手（図１には現われていない。）が取り付けられている。外障子７０との召し合わせ框である右縦框６３（図１においては、下記の外障子７０の左縦框７４と召しあっており現れていない。）の中央部付近には回動手掛用部材１００（以下において「クレセント１００」という。）と、クレセント１００の近傍に設けられた発信機１５０（以下において「子機１５０」という。）とが取り付けられている。
【００２５】
外障子７０は、上框７１、下框７２、右縦框７３、左縦框７４、およびこれらの框に固定されたガラスパネル７５を備えており、右縦框７３の室内側には引き手（図１には現われていない。）が取り付けられている。内障子６０との召し合わせ框である左縦框７４にはクレセント１００と係合する係合部７６が設けられている。
【００２６】
図２には、図１の引き違い窓２００の外障子７０を図の左方向に引寄せて、窓を開放した状態における、II−II線に沿った断面図を示している。外障子７０にはガラスパネル１３０ａ、および１３０ｂが、複層ガラスとして上下端部をグレージングチャネル１３１ａ、および１３１ｂを介して上框７１、および下框７２に取り付けられている。下框７２には、滑車１３２が設けられており、下枠５２から上方向に立設されたレール１３３の上に配置されている。滑車１３２が、レール１３３の上を回転しつつ見付け方向へと移動されることによって、障子７０の開閉が可能となっている。一方、上框７１には嵌合溝１３４が形成されており、上端部は上枠５１に設けられた突片１３５の厚さとほぼ同じ厚みの溝幅となるよう設けられている。よって、突片１３５が、上框７１に形成された嵌合溝１３４に隙間なく嵌合されることによって、障子７０の開閉時においてガタつきなく滑らかに見付け方向へと移動させることができる。
【００２７】
同様に、内障子６０にはガラスパネル１３６ａ、および１３６ｂが、複層ガラスとして上下端部をグレージングチャネル１３７ａ、および１３７ｂを介して上框６１、および下框６２に取り付けられている。下框６２には、滑車１３８が設けられており、下枠５２から上方向に立設されたレール１３９の上に配置されている。滑車１３８が、レール１３９の上を回転しつつ見付け方向へと移動されることによって、障子６０の開閉が可能となっている。一方、上框６１には嵌合溝１４０が形成されており、上端部は上枠５１に設けられた突片１４１の厚さとほぼ同じ厚みの溝幅となるよう設けられている。よって、突片１４１が、上框６１に形成された嵌合溝１４０に隙間なく嵌合されることによって、障子６０の開閉時においてガタつきなく滑らかに見付け方向へと移動させることができる。
【００２８】
本開口部装置（引き違い窓）２００を施解錠するための装置として、内障子６０の右縦框（図示せず）には子機１５０、およびクレセント１００が取り付けられており、クレセント１００内に形成されているハンドル部１０３を回動させることによって施解錠が可能であるように構成されている。
【００２９】
図３は、内障子６０の右縦框６３の見込み面６３ａに、クレセント１００、および子機１５０が装着されている様子を概略的に示した斜視図である。なお、図３は施錠時の状態を示している。係合部７６に錠止片１０２が係合されると、ハンドル部１０３とともに、ハンドル部１０３の下部（解錠時の状態）に取り付けられている、磁石１２０が内蔵された装着部１６０が、センサー１２５ａ、および１２５ｂを保持した子機１５０に対応する位置へ移動される。
【００３０】
このように、センサー１２５に磁石１２０が感知されている状態であるか、非感知の状態であるかにより戸締り確認システムが作動されるよう構成されている。施錠状態は、センサー１２５によって感知され、子機１５０からは施錠信号が防犯コントローラ１８０（図８参照。なお、以下において「親機」という。）に送信される。
【００３１】
一方、クレセント１００が図３に示した矢印方向に回動され、ハンドル部１０３、およびハンドル部１０３に埋設されている磁石１２０が、子機１５０に設けられているセンサー１２５から離れていくと、子機１５０からは解錠信号が親機１８０（図８参照）に送信される。よって、外出時、または就寝時等において、外部からの侵入者が解錠をみた場合はただちに管理者に知れることとなる。
【００３２】
図４（ａ）は、図３を室内側方向から見た側面図を示す。なお、よりよく説明をするために、子機１５０、およびクレセント１００の一部を透視図にて表す。子機１５０の左側にはセンサー基盤１５１がねじ１５２ａ、および１５２ｂによって固定されている。センサー基盤１５１の上部には、ＤＣ電池１５３が取り付けられている。また、下端部には、上記センサー１２５ｂが配備されており、上記のとおりハンドル部１０３の装着部材１６０に取り付けられている磁石１２０を感知するようになっている。ハンドル部１０３の固定されている台座部１０４は、ねじ１０５ａ、および１０５ｂによって右縦框６３に固定されている。
【００３３】
磁石１２０と、子機１５０のセンサー１２５ｂとは、図４に示すように所定の間隔（数ミリ程度）となるよう取り付けられており、所定の間隔以上になると磁石１２０はセンサー１２５ｂ（図４には現われていないが、センサー１２５ａについても同様である。）に感知されないようになる。本実施例に示されている発信機１５０、および装着部材１６０は、多様なデザインからなる既存の縦框６３及びクレセント１００に後付けで取り付けられる。しかし、既存の開口部装置に取り付けられた場合の磁石１２０と、子機１５０のセンサー１２５ｂとの間隔はクレセントごとにそれぞれ異なる。この間隔を調整する調整機構として、センサー基盤１５１を磁石１２０に近接、もしくは隔離させるために、ねじ１５２ａ、および１５２ｂを使用し、ねじ１５２ａ、および１５２ｂの締め付けの程度によって距離を調節している。
【００３４】
また、図４（ｂ）には、図４（ａ）の変形例を示す。右縦框６３とハンドル部１０３とが近接している場合には、上記のとおり、ねじ１５２ａ、および１５２ｂを締め付けて右縦框６３に近づける調節機構だけでは磁石１２０を備えた装着部材１６０が装着できない場合もある。よって、装着部材１６０の下部（解錠時の状態）に、センサー１２５ｂに対応されるように切り欠き部１６６を形成し、切り欠き部１６６に合わせた形状の磁石が取り付けられたものを、ハンドル部１０３に装着する。
【００３５】
上述した構造のうち、本発明では、磁石１２０を備えた装着部材１６０の取り付け方法に最大の特徴を備えている。以下に実施例によって詳細に説明する。
【００３６】
（実施例１）
図５は、装着部材１６０が取り付けられたクレセント１００の一例を示す室内側側面図である。装着部材１６０は、既存のクレセント１００の下部に下部全面を覆うように取り付けられており、本部材１６１に熱収縮材が使用されている。
【００３７】
熱収縮材には例えば三菱化学製ヒシチューブ（軟質ポリ塩化ビニール系）が使用されており、軟質ポリ塩化ビニール系の熱収縮材は加熱によって短時間に収縮するため加工効率に優れ、複雑な形状のものでも気密性の高い状態で被覆することができるという特徴が備えられている。従って、様々なデザインのクレセント１００においても、ハンドル部１０３の下端部に磁石１２０を後付けで簡便に取り付けることができる。また、加熱による収縮後は、ビス１６２ａ、および１６２ｂによって外部からハンドル部１０３にさらに確実に固定することもできる。実際に熱収縮チューブをクレセントのハンドル部１０３に取り付けるには、ハンドル部１０３の外径よりやや大きめに形成した熱収縮チューブにハンドル部先端を差し入れ、熱湯を熱収縮チューブに注ぐことにより、チューブが収縮して、ハンドル部１０３に密着される。
【００３８】
（実施例２）
図６は、装着部材１６０が取り付けられたクレセント１００の一例を示す室内側側面図である。装着部材１６０は、既存のクレセント１００の下部に下部全面を覆うように嵌めいれられており、外側に現われている磁石１２０の取り付けられたケース１６３と、ケース１６３内部に充填された充填材１６４とで構成されている。
【００３９】
充填材１６４にはウレタン系の樹脂が使用されている。装着部材１６０の装着は、予め工場等で生産されたケース１６３が現場において嵌め入れられ、さらにケース１６３に発泡性を有するウレタン系樹脂の充填材１６４が充填されることによって行われる。従って、様々なデザインのクレセント１００においても、ハンドル部１０３の下端部に磁石１２０の取り付けられたケース１６３を、後付けで取り付けることができる。
【００４０】
上記の実施例では、戸締り確認システムの後付け方法をクレセント１００を例として説明したが、玄関口等に設けられているサムターンにも取り付けることができる。下記に実施例３として説明する。
【００４１】
（実施例３）
図７には、装着部材１６０が取り付けられたサムターン５００の一例を示す。サムターン５００のつまみ部５０１には磁石５０２が装着部材１６０を介して後付けで取り付けられている。磁石５０２に対応する位置には、子機５０３が取り付けられており、上記引き違い窓に取り付けられたクレセント１００と同様の構成とすることが可能である。なお、磁石５０２の後付け方法は、上記実施例１〜２で示した方法のうち、いずれにおいても可能である。
【００４２】
上記の実施例では、いずれの場合においてもクレセント、サムターンの可動部材を交換する必要がなく、後付けで部材を取り付けるのみでよい。また、後付けされる部材は簡便な作業によって容易に取り付けられ、さらに装着部を構成する材料はいずれも加工効率がよく、現場対応も可能であるため、作業効率、生産コストにおいても優れている。
【００４３】
図８には戸締り確認システムが作動する様子を概略的に示す。なお、図８においては上記実施例１、および２で示したクレセント１００を例として説明するが、サムターン５００についても同様のシステムが適用される。この戸締り確認システムは、上記クレセント１００ａ〜１００ｃ、および子機１５０ａ〜１５０ｃを備えた複数の窓（I）〜（III）と、これら窓（I）〜（III）の子機１５０ａ〜１５０ｃと無線通信可能に構成された親機１８０とを備えている。
【００４４】
親機１８０は、例えば玄関等の戸締り確認システムの作動をオン、オフに操作しやすい場所に設置され、台所、和室、浴室等に設置された窓（I）〜（III）の子機１５０ａ〜１５０ｃからのクレセント１００ａ〜１００ｃの施解錠信号を受信して、受信表示を行う表示装置１８１が設けられている。表示装置１８１により、建物管理者等は建物に設けられている窓において、どの窓がどのような施解錠状態におかれているかがすぐにわかるようになっている。一方、親機１８０から、外出先の関係者や建物管理者の携帯電話、もしくはコンピューター等に信号を送信することも可能であり、異変が生じた場合には時間を経ずして知らせることも可能である。
【００４５】
なお、磁石、およびセンサーを備えた子機の取り付けには、上記実施例の他に、既存するドアのデッドボルトに穴をあけて磁石を取り付け、磁石に対応する位置に子機を取り付ける構成がある。また、木造サッシやビル用サッシのクレセント、ラッチ、ハンドル、サムターン等の戸締り金具の可動部に、磁石の取り付け用ポケットを製造段階で予め作っておき、子機を、ポケット内に装着した磁石の位置にあわせて取り付ける、という構成としても上記の実施例と同様の効果を奏することができる。
【００４６】
以上、現時点において、もっとも、実践的であり、かつ、好ましいと思われる実施形態に関連して本発明を説明したが、本発明は、本願明細書中に開示された実施形態に限定されるものではなく、引き違い窓の他にも縦滑り出し窓、および横滑り出し窓等にも適用される。また、請求の範囲および明細書全体から読み取れる発明の要旨或いは思想に反しない範囲で適宜変更可能であり、そのような変更を伴う戸締り確認システム用後付けキットもまた本発明の技術的範囲に包含されるものとして理解されなければならない。
【図面の簡単な説明】
【００４７】
【図１】引き違い窓を室外側から概略的に示す正面図である。
【図２】図１におけるII−II線に沿った断面図である。
【図３】右縦框に、クレセント、および子機が装着されている様子を概略的に示す斜視図である
【図４（ａ）】図３に示したクレセント、および子機を、室内側方向から見た側面図である。
【図４（ｂ）】図４（ａ）の変形例を示す図である。
【図５】装着部材が取り付けられたクレセントの一例を示す室内側側面図である。
【図６】装着部材が取り付けられたクレセントの一例を示す室内側側面図である。
【図７】装着部材が取り付けられたサムターンの一例を示す室内側側面図である。
【図８】戸締り確認システムが作動する様子を概略的に示す図である。
【図９】従来例を示す図である。
【符号の説明】
【００４８】
５０  枠体
６０、７０  障子
１０３  ハンドル部（可動部）
１２５  センサー
１６０  装着部材（被感知部）
１６３  容器
１６４  充填材
１８０  親機（防犯コントローラ）
２００  開口部装置
１５０、５０３  子機（発信機）
１００  クレセント（施解錠装置）
５００  サムターン（施解錠装置）
５０１  つまみ部（可動部）
１２０、５０２、  磁石
【図１】
2005083024.tif 000003
【図２】
2005083024.tif 000004
【図３】
2005083024.tif 000005
【図４（ａ）】
2005083024.tif 000006
【図４（ｂ）】
2005083024.tif 000007
【図５】
2005083024.tif 000008
【図６】
2005083024.tif 000009
【図７】
2005083024.tif 000010
【図８】
2005083024.tif 000011
【図９】
2005083024.tif 000012